(57)【要約】【課題】原稿が重送等の障害が発生しても分からず、意図した原稿枚数より少ない枚数の画像データが送信される。【解決手段】ユーザが、画像読み取り装置１に設けられたオペレータパネル３４の読み取り原稿枚数入力画面で入力した原稿枚数より少ない場合に、オペレータパネル３４の読み取り結果確認画面にてユーザに確認させて、未スキャンの原稿のみをＡＤＦ１１に再セットした上でスキャンを行い、この再スキャンした画像データを読み取り部１４で読み取り、オペレータパネル３４の編集入力画面及び画像編集部２４にて編集（例えば、適当な位置に追加等）して出力する構成にしている。そのため、ScanToEmail等、読み取り原稿２が重送した場合、ユーザが、重送した原稿２を特定してこの原稿２のみを再読み取りしてEmail送信できるので、読み取りに要する時間を短縮できる。【選択図】図１
2011010030.tif 000002
【特許請求の範囲】
【請求項１】
複数枚載置された原稿を順次１枚ずつ分離搬送可能な原稿搬送手段と、
前記原稿搬送手段によって搬送される前記原稿上の画像を読取って画像データを出力する画像読み取り手段と、
読取られた前記画像データを格納する格納部と、
前記原稿の搬送異常を検知する検知手段と、
前記検知手段により前記搬送異常が検知された場合、前記搬送異常を報知する報知手段と、
前記搬送異常の場合に、前記格納部に格納された前記画像データを読み出して表示する表示手段と、
を有することを特徴とする画像読み取り装置。
【請求項２】
前記検知手段は、
載置する前記原稿の枚数に関する情報を予め入力するカウンタ入力手段と、
搬送される前記原稿の枚数をカウントするカウント手段とを有し、
前記カウンタ入力手段により入力された前記原稿の枚数と、前記カウント手段によりカウントされた前記原稿の枚数と、が不一致の場合に前記搬送異常であると判定することを特徴とする請求項１記載の画像読み取り装置。
【請求項３】
請求項１又は２記載の画像読み取り装置は、更に、
搬送された前記原稿の重送状態を検出する重送検出手段を有し、
検出された前記重送状態の箇所を中心に表示枚数を設定して、該当する箇所を強調して前記表示手段に表示することを特徴とする画像読み取り装置。
【請求項４】
請求項１〜３のいずれか１項に記載の画像読み取り装置は、更に、
前記画像読み取り手段により読み取られた前記原稿の編集情報を入力させる編集情報入力手段と、
再セットされた前記原稿を読取って画像データを出力する再画像読み取り手段と、
入力された前記編集情報に基づいて、前記格納部に格納された前記画像データと前記再画像読み取り手段で読取られた前記画像データとを編集する編集手段と、
を有することを特徴とする画像読み取り装置。
【請求項５】
画像読み取り装置により読み取った画像の画像データを画像処理装置へ送信して編集を行う画像処理システムにおいて、
前記画像読み取り装置は、
複数枚載置された前記原稿を順次一枚ずつ分離搬送可能な原稿搬送手段と、
前記原稿搬送手段によって搬送される前記原稿上の前記画像を読取って前記画像データを出力する画像読み取り手段と、
前記画像読み取り手段で読取られた前記画像データを前記画像処理装置へ転送する転送手段と、
前記原稿の搬送異常を検知する検知手段と、
前記検知手段により前記搬送異常が検知された場合、前記搬送異常を報知する報知手段と、
前記検知手段により前記搬送異常が検知された場合に、前記画像処理装置から前記画像データを読み出して表示する表示手段と、
前記表示手段による表示と共に、前記画像読み取り手段により読取られた前記原稿の編集情報を入力させる編集情報入力手段と、
再セットされた前記原稿を読取って画像データを出力する再画像読み取り手段と、
前記編集情報入力手段において、編集が指示された場合、前記画像処理装置へ前記編集情報を通知する通知手段とを有し、
前記画像処理装置は、
前記画像読み取り装置から送信された前記画像データを格納する格納部と、
前記画像読み取り装置から画像データ取得の要求があった場合、該当する画像データを前記画像読み取り装置に返信する返信部と、
前記画像読み取り装置から編集指示があった場合、前記画像読み取り装置から送信された前記編集情報に基づいて、前記格納部に格納された前記画像データと前記再画像読み取り手段で読取られた前記画像データとを編集する編集手段と、
前記編集手段により編集された前記画像データを外部へ出力する出力手段と、
を有することを特徴とする画像処理システム。
【請求項６】
画像読み取り装置と画像形成装置とを備えた画像処理システムにおいて、
前記画像読み取り装置は、
複数枚載置された原稿を順次１枚ずつ分離搬送可能な原稿搬送手段と、
前記原稿搬送手段によって搬送される前記原稿上の画像を読取って画像データを出力する画像読み取り手段と、
前記画像読み取り手段で読取られた前記画像データを前記画像形成装置へ転送する転送手段と、
前記原稿の搬送異常を検知する検知手段と、
前記検知手段により前記搬送異常が検知された場合、前記搬送異常を報知する報知手段と、
前記検知手段により前記搬送異常が検知された場合、前記画像形成装置から前記画像データを読み出して表示する表示手段と、
前記表示手段による表示と共に、前記画像読み取り手段により読取られた前記原稿上の画像の編集情報を入力させる編集情報入力手段と、
前記編集情報入力手段への前記編集画像の入力の後に、再セットされた前記原稿を読取って画像データを出力する画像再読み取り手段と、
前記編集情報入力手段において、編集が指示された場合、前記画像形成装置へ前記編集情報を通知する通知手段とを有し、
前記画像形成装置は、
前記画像読み取り装置から転送された前記画像データを格納する格納部と、
前記画像読み取り装置から画像データ取得の要求があった場合、該当する画像データを前記画像読み取り装置に返信する返信部と、
前記画像読み取り装置から編集指示があった場合、前記前記画像読み取り装置から通知された前記編集情報に基づいて、前記格納部に格納された前記画像データと前記画像再読み取り手段で読取られた前記画像データとを編集する編集手段と、
前記編集手段にて編集された前記画像データを出力する出力手段とを有することを特徴とする画像処理システム。
【発明の詳細な説明】
【技術分野】
【０００１】
本発明は、画像読み取り装置及び画像処理システムに関するものである。
【背景技術】
【０００２】
従来、スキャナ装置のような画像読み取り装置は、例えば、下記の特許文献１に記載されているように、画像（イメージ）を読取って画像データを生成する読み取り手段と、読取られた画像データを圧縮処理して圧縮データを生成する圧縮手段と、その圧縮データを一旦格納する記憶手段と、格納された圧縮データの画像容量（画像サイズ）を調整して送信用画像データを生成する画像容量調整手段と、調整された送信用画像データを電子メール（以下「Email」という。）の添付ファイルとして送信するものであった。読み取った画像データをEmailの添付ファイルの形で送信する機能をScanToEmail機能という。
【先行技術文献】
【特許文献】
【０００３】
【特許文献１】特開２００３−１６０１７号公報
【発明の概要】
【発明が解決しようとする課題】
【０００４】
しかしながら、従来の画像読み取り装置では、原稿が重送等の障害が発生しても分からず、意図した原稿枚数より少ない枚数の画像データが送信されることがあった。
【課題を解決するための手段】
【０００５】
本発明の画像読み取り装置は、複数枚載置された原稿を順次１枚ずつ分離搬送可能な原稿搬送手段と、前記原稿搬送手段によって搬送される前記原稿上の画像を読取って画像データを出力する画像読み取り手段と、読取られた前記画像データを格納する格納部と、前記原稿の搬送異常を検知する検知手段と、前記検知手段により前記搬送異常が検知された場合、前記搬送異常を報知する報知手段と、前記搬送異常の場合に、前記格納部に格納された前記画像データを読み出して表示する表示手段とを有することを特徴とする。
【０００６】
本発明の画像処理システムは、画像読み取り装置により読み取った画像の画像データを画像処理装置へ送信して編集を行うシステムである。
そして、前記画像読み取り装置は、複数枚載置された前記原稿を順次一枚ずつ分離搬送可能な原稿搬送手段と、前記原稿搬送手段によって搬送される前記原稿上の前記画像を読取って前記画像データを出力する画像読み取り手段と、前記画像読み取り手段で読取られた前記画像データを前記画像処理装置へ転送する転送手段と、前記原稿の搬送異常を検知する検知手段と、前記検知手段により前記搬送異常が検知された場合、前記搬送異常を報知する報知手段と、前記検知手段により前記搬送異常が検知された場合に、前記画像処理装置から前記画像データを読み出して表示する表示手段と、前記表示手段による表示と共に、前記画像読み取り手段により読取られた前記原稿の編集情報を入力させる編集情報入力手段と、再セットされた前記原稿を読取って画像データを出力する再画像読み取り手段と、前記編集情報入力手段において、編集が指示された場合、前記画像処理装置へ前記編集情報を通知する通知手段とを有している。
【０００７】
更に、前記画像処理装置は、前記画像読み取り装置から送信された前記画像データを格納する格納部と、前記画像読み取り装置から画像データ取得の要求があった場合、該当する画像データを前記画像読み取り装置に返信する返信部と、前記画像読み取り装置から編集指示があった場合、前記画像読み取り装置から送信された前記編集情報に基づいて、前記格納部に格納された前記画像データと前記再画像読み取り手段で読取られた前記画像データとを編集する編集手段と、前記編集手段により編集された前記画像データを外部へ出力する出力手段とを有している。
【０００８】
本発明の他の画像処理システムは、画像読み取り装置と画像形成装置とを備えている。
そして、前記画像読み取り装置は、複数枚載置された原稿を順次１枚ずつ分離搬送可能な原稿搬送手段と、前記原稿搬送手段によって搬送される前記原稿上の画像を読取って画像データを出力する画像読み取り手段と、前記画像読み取り手段で読取られた前記画像データを前記画像形成装置へ転送する転送手段と、前記原稿の搬送異常を検知する検知手段と、前記検知手段により前記搬送異常が検知された場合、前記搬送異常を報知する報知手段と、前記検知手段により前記搬送異常が検知された場合、前記画像形成装置から前記画像データを読み出して表示する表示手段と、前記表示手段による表示と共に、前記画像読み取り手段により読取られた前記原稿上の画像の編集情報を入力させる編集情報入力手段と、前記編集情報入力手段への前記編集画像の入力の後に、再セットされた前記原稿を読取って画像データを出力する画像再読み取り手段と、前記編集情報入力手段において、編集が指示された場合、前記画像形成装置へ前記編集情報を通知する通知手段とを有している。
【０００９】
更に、前記画像形成装置は、前記画像読み取り装置から転送された前記画像データを格納する格納部と、前記画像読み取り装置から画像データ取得の要求があった場合、該当する画像データを前記画像読み取り装置に返信する返信部と、前記画像読み取り装置から編集指示があった場合、前記前記画像読み取り装置から通知された前記編集情報に基づいて、前記格納部に格納された前記画像データと前記画像再読み取り手段で読取られた前記画像データとを編集する編集手段と、前記編集手段にて編集された前記画像データを出力する出力手段とを有している。
【発明の効果】
【００１０】
本発明の画像読み取り装置によれば、原稿の重送等の搬送異常が発生すると、これがユーザに対して報知されて表示されるので、ユーザが意図した原稿枚数より少ない枚数の画像データが送信されることを防止できる。
【００１１】
本発明の画像処理システム及び本発明の他の画像処理システムによれば、ユーザが入力した原稿枚数より少ない場合に、表示手段にてユーザに確認させて、未読み取り原稿のもののみを再セットした上で再度読み取りを行い、再度読み取られた画像データを、編集して出力する構成にしている。そのため、ScanToEmail等、読み取り原稿が重送した場合、ユーザが、重送した原稿を特定してこの原稿のみを再読み取りしてEmail送信等ができるので、読み取りに要する時間を短縮できる。
【図面の簡単な説明】
【００１２】
【図１】図１は本発明の実施例１における画像処理システムの概略を示す構成図である。
【図２】図２は図１中の画像読み取り装置１を示す構成図である。
【図３】図３は図２の画像読み取り装置１における読み取り原稿枚数入力画面の表示例を示す図である。
【図４】図４は図２の画像読み取り装置１における読み取り結果確認画面の表示例を示す図である。
【図５】図５は図２の画像読み取り装置１における編集入力画面の表示例を示す図である。
【図６】図６は図１及び図２の画像処理システムにおける読み取り処理（ScanToEmail処理）を示す概略のフローチャートである。
【図７】図７は図６中の編集入力画面表示処理（ステップＳ１１）を示すフローチャートである。
【図８】図８は図６中の画像データ編集処理（ステップＳ１５）を示すプロチャートである。
【図９】図９は本発明の実施例２における画像読み取り装置１Ａを示す構成図である。
【図１０】図１０は図９の画像読み取り装置１Ａにおける編集入力画面の表示例を示す図である。
【図１１】図１１は図９の画像読み取り装置１Ａにおける読み取り処理（ScanToEmail処理）を示す概略のフローチャートである。
【図１２】図１２は図１１中の編集入力画面表示処理（ステップＳ４３）を示すフローチャートである。
【図１３】図１３は本発明の実施例３における画像処理システムの概略を示す構成図である。
【図１４】図１４は図１３中の画像読み取り装置１Ｂを示す構成図である。
【図１５】図１５は図１３中のドキュメントサーバ６０を示す構成図である。
【図１６】図１６は図１３及び図１４の画像処理システムにおける読み取り処理（ScanToEmail処理）を示す概略のフローチャートである。
【図１７】図１７は図１６中の編集入力画面表示処理（ステップＳ６２）を示すフローチャートである。
【図１８】図１８は図１３及び図１５のドキュメントサーバ６０におけるコマンド解析処理を示すフローチャートである。
【図１９】図１９は本発明の実施例４における画像処理システムの概略を示す構成図である。
【図２０】図２０は図１９中の画像形成装置７０を示す構成図である。
【図２１】図２１は図１９及び図２０の画像処理システムにおける読み取り処理（ScanToEmail処理）を示す概略のフローチャートである。
【図２２】図２２は図２１中の編集入力画面表示処理（ステップＳ９２）を示すフローチャートである。
【図２３】図２３は図１９及び図２０の画像形成装置７０におけるコマンド解析処理を示すフローチャートである。
【図２４】図２４は原稿のコピー例を示す図である。
【発明を実施するための形態】
【００１３】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１４】
（実施例１の構成）
図１は、本発明の実施例１における画像処理システムの概略を示す構成図である。
【００１５】
画像処理システムは、画像読み取り装置１と、この画像読み取り装置１にネットワークケーブル４５を介して接続されたEmailサーバ５０とを備えている。
【００１６】
画像読み取り装置１は、複数枚載置された原稿２を順次１枚ずつ分離して搬送する原稿搬送手段（例えば、自動原稿送り部、以下「ＡＤＦ」という。）１１と、原稿２の読み取りタイミングを司る読み取り用センサ部１２と、原稿２の画像を読み取る画像読み取り手段及び原稿２の画像を再度読み取る再画像読み取り手段（例えば、読み取り部）１３と、この読み取り部１３にて読み取った画像データを格納する随時読み書き可能なメモリ（以下「ＲＡＭ」という。）等の格納部（例えば、画像データ記憶部）１８と、ユーザに対して画像読み取り装置１の状態の表示及びユーザからの入力を受付けるオペレータパネル３４と、画像データ記憶部１８に格納された画像データを編集する編集手段（例えば、画像編集部）２４等とを有している。オペレータパネル３４は、搬送異常の報知手段及び搬送異常の表示手段としての機能も有している。
【００１７】
Emailサーバ５０は、画像データ記憶部、通信部、及びサーバ全体をプログラム制御する中央処理装置（以下「ＣＰＵ」という。）等により構成されている。
【００１８】
図２は、図１中の画像読み取り装置１を示す構成図である。
画像読み取り装置１は、内部バス３を有している。内部バス３には、原稿２の画像の読み取りを制御する画像入力部１０と、装置全体をプログラム制御するＣＰＵ１６と、プログラムを格納する読み出し専用メモリ（以下「ＲＯＭ」という。）１７と、画像入力部１０にて読み取った画像データを格納する画像データ記憶部１８と、画像入力部１０にて読み取った画像データを外部装置（デバイス）へ出力してもよいか否か、即ち、原稿２の搬送異常の有無を検知して判定する検知手段としての機能を有する画像出力判定部２０と、オペレータパネル３４を制御するオペレータパネル制御部３０と、画像出力判定部２０により画像データが送信できると判定された場合にその画像データを外部デバイスへ出力する画像出力部４０等とが接続されている。オペレータパネル制御部３０には、編集入力画面表示制御部３１と、読み取り結果確認画面表示制御部３２と、各種オペレータパネル３４を制御して表示及びユーザからの入力を監視する原稿枚数入力表示制御部３３とが接続されている。
【００１９】
画像入力部１０は、複数枚の原稿２を搬送するＡＤＦ１１と、原稿の搬送を監視する読み取り用のセンサ部１２と、原稿２の画像を読み取る読み取り部１３と、読み取った原稿２の枚数をカウントするカウント手段（例えば、読み取りカウンタ）１４等とから構成されている。画像出力判定部２０は、原稿枚数入力表示制御部３３より通知されたユーザがこれから読み込む原稿２の枚数を保持する原稿カウンタ２１と、編集入力画面表示制御部３１からの編集指定により画像データ記憶部１８に格納された画像データを編集する画像編集部２４とを有している。更に、画像出力判定部２０は、画像入力部１０から読み込まれた画像データが画像データ記憶部１８のどこに格納されているかを特定する画像データパスと、この画像データパスを画像出力判定部２０で管理するための画像ｉｄとを有し、外部への出力準備用の画像データは、元画像ｉｄ２２として管理し、再読み取りして一時的に格納される画像データは、再読み取り画像ｉｄ２３として管理する構成になっている。
【００２０】
図３は、図２の画像読み取り装置１におけるカウンタ入力手段（例えば、読み取り原稿枚数入力画面）の表示例を示す図である。
【００２１】
この図３では、ScanToEmailを実行する前に、ユーザに対して設定原稿枚数を入力させる読み取り原稿枚数入力画面５１の表示例が示されている。読み取り原稿枚数入力画面５１は、ユーザに読み取り原稿枚数の入力を促すメイン画面５１ａと、テンキー等の入力された原稿枚数を表示する原稿枚数表示部の入力ボタン５１ｂと、ユーザからの開始指示を受付ける開始要求受付表示部の開始ボタン５１ｃと、本機能の無効指示を受付ける無効要求受付表示部の無効ボタン５１ｄとから構成されている。
【００２２】
図４は、図２の画像読み取り装置１における読み取り結果確認画面の表示例を示す図である。
【００２３】
この図４では、読み取り原稿枚数入力画面５１でユーザにより入力された原稿枚数と実際に読込んだ原稿枚数が異なった際に表示する読み取り結果確認画面５２の表示例が示されている。読み取り結果確認画面５２は、ユーザに対して読み取り確認を促すメイン画面５２ａと、Email送信のキャンセルを受付けるキャンセルボタン５２ｂと、Email送信の実行を受付けるオーケー（ＯＫ）ボタン５２ｃと、読み取り結果の詳細表示を受付ける詳細確認ボタン５２ｄとから構成され、搬送異常の報知手段及び搬送異常の表示手段としての機能も有している。
【００２４】
図５は、図２の画像読み取り装置１における編集情報入力手段（例えば、編集入力画面）の表示例を示す図である。
【００２５】
この図５では、読み取り結果確認画面５２にて詳細確認ボタン５２ｄが押下された際に表示する編集入力画面５３の表示例が示されている。編集入力画面５３は、ユーザにページ編集の案内を促すメイン画面５３ａと、読み取った画像イメージのサムネイルを表示するイメージ表示部５３ｂと、読み取った画像データの表示を前にスクロールする左矢印キー５３ｃ、読み取った画像データの表示を後にスクロールする右矢印キー５３ｄと、削除、追加及び追加＆削除の編集条件を指定できる編集条件ボタン（即ち、加工条件ボタン）５３ｅと、テンキー等から入力された読み取り済みの画像データ削除枚数を表示する削除枚数表示部の削除枚数ボタン５３ｆと、編集条件及び削除枚数の条件で編集を開始する要求を受付ける開始ボタン５３ｇと、本編集を何もせずに終了する閉じるボタン５３ｈとから構成されている。
【００２６】
（図１、図２のScanToEmail処理）
図６は、図１及び図２の画像処理システムにおける読み取り処理（ScanToEmail処理）を示す概略のフローチャートである。
【００２７】
図１及び図２の画像読み取り装置１において、ユーザがオペレータパネル３４によりScanToEmail処理を実行すると、オペレータパネル制御部３０は、画像出力判定部２０に対して、ScanToEmail処理が実行された旨を通知する。ScanToEmail処理が実行された旨を通知された画像出力判定部２０は、オペレータパネル制御部３０に対して図３の読み取り原稿枚数入力画面５１を表示するように指示する。読み取り原稿枚数入力画面５１を表示するよう指示されたオペレータパネル制御部３０は、原稿枚数入力表示制御部３３に対して図３の読み取り原稿枚数入力画面５１を表示するように指示する。読み取り原稿枚数入力画面５１を表示するように指示された原稿枚数入力表示制御部３３は、オペレータパネル３４に図３の原稿枚数入力画面５１を表示する（ステップＳ１）。
【００２８】
その後、原稿枚数入力表示制御部３３は、ユーザからの原稿枚数表示部の原稿枚数入力ボタン５１ｂによる入力と、開始要求受付表示部の開始ボタン５１ｃ又は無効要求受付表示部の無効ボタン５１ｄによる入力を待つ（ステップＳ２）。
【００２９】
原稿枚数入力表示制御部３３は、開始ボタン５１ｃが押されたことを検出すると、画像出力判定部２０に対してユーザによる原稿枚数入力ボタン５１ｂの入力のカウントと共に読み取り原稿枚数確認開始を指示する。読み取り原稿枚数確認開始を指示された画像出力判定部２０は、原稿カウンタ２１へ原稿枚数入力ボタン５１ｂの入力値をセットする（ステップＳ３）。又、原稿枚数入力表示制御部３３は、無効ボタン５１ｄが押されたことを検出すると、画像出力判定部２０に対して読み取り原稿枚数確認無効を指示する。読み取り原稿枚数確認無効を指示された画像出力判定部２０は、原稿カウンタ２１を０（ゼ口）にセットする（ステップＳ４）。
【００３０】
その後、画像出力判定部２０は、画像入力部１０に対して原稿読み取りを指示する。原稿読み取りが指示された画像入力部１０は、ＡＤＦ１１、センサ部１２、及び読み取り部１３をコントロールして原稿を読み取る（ステップＳ５）。読み取った画像データは、画像データ記憶部１８に格納する。又、それと並行して、画像入力部１０は、センサ部１２を監視して、センサ部１３がオフ（ＯＦＦ）からオン（ＯＮ）へ変化する毎に、読み取りカウンタ１４をインクリメント（増分）して読み取り枚数をカウントさせる（ステップＳ６）。
【００３１】
画像入力部１０は、最終原稿の読み取りが完了したと判定すると、画像出力判定部２０に対して、読み取りカウンタ１４及び画像データ記憶部１８に格納された画像データを特定するための画像データパスの情報と共に読み取り完了した旨を通知する。読み取り完了した旨を通知された画像出力判定部２０は、画像ｉｄを生成して、生成した画像ｉｄと前記で渡された画像データパスの情報を関連付けるために元画像ｉｄ２２として格納した後、通知された読み取りカウンタ１４のカウント値と原稿カウンタ２１のカウント値とを比較する（ステップＳ８）。
【００３２】
画像出力判定部２０は、原稿カウンタ２１が０（ゼロ）、又は、読み取りカウンタ１４のカウント値と原稿カウンタ２１のカウント値が一致していた場合（ＹＥＳ）、画像データ記憶部１８のデータを読み出し、画像出力部４０に対し出力要求して、画像データをメール送信させる（ステップＳ１６）。画像出力判定部２０は、画像データ記憶部１８のデータが全て送信完了したと判定すると、読み取りカウンタ１４をクリアし（ステップＳ１７）、画像データ記憶部１８に保持されている画像データを削除した後（ステップＳ１８）、処理を終了する。
【００３３】
画像出力判定部２０は、ステップＳ８において読み取りカウンタ１４のカウント値と原稿カウンタ２１のカウント値とが不一致の場合（ＮＯ）、オペレータパネル制御部３０に対して、図４の読み取り結果確認画面５２を表示するように指示する。読み取り結果確認画面５２を表示するように指示されたオペレータパネル制御部３０は、読み取り結果確認画面表示制御部３２に対して、読み取り結果確認画面５２を表示するように指示する。読み取り結果確認画面５２を表示するように指示された読み取り結果確認画面表示制御部３２は、図４の読み取り結果確認画面５２を表示する（ステップＳ９）。その後、読み取り結果確認画面表示制御部３２は、ユーザからのキャンセルボタン５２ｂ、ＯＫボタン５２ｃ、又は詳細確認ボタン５２ｄの入力を待つ（ステップＳ１０）。
【００３４】
読み取り結果確認画面表示制御部３２は、ステップＳ１０において、キャンセルボタン５２ｂが押されたことを検出すると、画像出力判定部２０に対してキャンセルが指示された旨を通知する。キャンセルが指示された旨を受け取った画像出力判定部２０は、読み取りカウンタ１４をクリアし（ステップＳ１７）、画像データ記憶部１８に保持されている画像データを削除した後（ステップＳ１８）、処理を終了する。
【００３５】
読み取り結果確認画面表示制御部３２は、ステップＳ１０において、ＯＫボタン５２ｃが押されたことを検出すると、画像出力判定部２０に対して、画像データ送信が指示された旨を通知する。画像データ送信が指示された旨を受け取った画像出力判定部２０は、画像データ記憶部１８のデータを読み出し、画像出力部４０に対し出力要求して、画像データをメール送信させる（ステップＳ１６）。画像出力判定部２０は、画像データ記憶部１８のデータが全て送信完了したと判定すると、読み取りカウンタ１４をクリアし（ステップＳ１７）、画像データ記憶部１８に保持されている画像データを削除した後（ステップＳ１８）、処理を終了する。
【００３６】
又、読み取り結果確認画面表示制御部３２は、ステップＳ１０において、詳細確認ボタン５２ｄが押されたことを検出すると、画像出力判定部２０に対して、画像データ表示要求が指示された旨を通知する。画像データ表示要求が指示された旨を受け取った画像出力判定部２０は、オペレータパネル制御部３０に対して、前記元画像ｉｄ２２と共に編集入力画面を表示するように指示する。編集入力画面を表示するように指示されたオペレータパネル制御部３０は、編集入力画面表示制御部３１に対して、図５の編集入力画面５３を表示するように指示する。編集入力画面５３を表示するように指示された編集入力画面表示制御部３１は、図５の編集入力画面５３を表示する（ステップＳ１１）。
【００３７】
その後、編集入力画面表示制御部３１は、ユーザからの編集条件ボタン５３ｅ、表示スクロール指示の左矢印キー５３ｃ、右矢印キー５３ｄ、削除枚数表示部の削除枚数ボタン５３ｆ、開始ボタン５３ｇ、又は閉じるボタン５３ｈの入力を待つ（ステップＳ１２）。編集入力画面表示制御部３１は、閉じるボタン５３ｈが押されると、編集中断を画像出力判定部２０へ通知する。編集中断を通知された画像出力判定部２０は、オペレータパネル制御部３０に対して、図４の読み取り結果確認画面５２を表示するように指示する（ステップＳ９）。その後、前記ステップＳ１０の処理に戻る。
【００３８】
編集入力画面表示制御部３１は、ステップＳ１２において、開始ボタン５３ｇが押されると、ユーザから入力された編集条件及び編集対象ページ数、及び削除枚数と共に編集要求を画像出力判定部２０へ通知する。編集要求を通知された画像出力判定部２０は、編集条件として追加指定があるか否かを判定し（ステップＳ１３）、追加要求があった場合、画像入力部１０に対して画像読み取り指示をする（ステップＳ１４）。その後、画像入力部１０から画像読み取り完了した旨が通知されたら、画像出力判定部２０は、画像ｉｄを生成して画像入力部１０から渡された画像データパスと前記生成した画像ｉｄを関連付けるために再読み取り画像ｉｄ２３として格納し、前記編集入力画面表示制御部３１から入手した編集条件に従って、画像データを編集するように画像編集部２４へ指示する。画像編集部２４は、画像データを編集するように指示された場合、又は、ステップＳ１３において追加要求が無かった場合、画像データを編集し（ステップＳ１５）、オペレータパネル制御部３０に対して図４の読み取り結果確認画面５２を表示するように指示する（ステップＳ９）。その後、前記ステップＳ９の処理に戻る。
【００３９】
（図６中の編集入力画面表示処理（ステップＳ１１））
図７は、図６中の編集入力画面表示処理（ステップＳ１１）を示すフローチャートである。
【００４０】
編集入力画面表示制御部３１は、編集入力画面表示処理を開始し、図５の編集入力画面５３のイメージ表示部５３ｂに表示可能なイメージを表示サイズ、表示解像度、及び画像出力判定部２０から渡された元画像ｉｄ２２を指定し、画像編集部２４に対して取得要求をする（ステップＳ２１）。即ち、編集入力画面表示制御部３１は、画像データを画像編集部２４より読み出し、表示イメージを生成する。編集入力画面表示制御部３１は、画像編集部２４が表示イメージを入手すると、イメージ表示部５３ｂに取得したイメージを表示する（ステップ２２）。その後、ユーザからのスクロール要求の左矢印キー５３ｃ、右矢印キー５３ｄ、編集条件ボタン５３ｅ、削除枚数ボタン５３ｆ、開始ボタン５３ｇ、又は閉じるボタン５３ｈの入力を待ち、ユーザの入力を監視する（ステップ２３）。
【００４１】
編集入力画面表示制御部３１は、ユーザからの入力が閉じるボタン５３ｈであるか否かをチェックし（ステップＳ２４）、閉じるボタンであった場合（ＹＥＳ）、編集中断を画像出力判定部２０へ通知し、処理を終了する。閉じるボタンでなかった場合（ＮＯ）、編集入力画面表示制御部３１は、ユーザからの入力が、開始ボタン５３ｇであるか否かチェックする（ステップＳ２５）。開始ボタン５３ｇであった場合（ＹＥＳ）、編集入力画面表示制御部３１は、選択されているイメージ、加工条件及び削除枚数により編集情報を生成して格納し、ユーザから入力された編集条件及び編集対象ページ数、及び削除枚数と共に、編集要求として画像出力判定部２０へ通知し（ステップＳ２６）、処理を終了する。
【００４２】
ステップＳ２５において、開始ボタン５３ｇでなかった場合（ＮＯ）、編集入力画面表示制御部３１は、ユーザからの入力が左矢印キー５３ｃであるか否かをチェックし（ステップＳ２７）、左矢印キー５３ｃであった場合（ＹＥＳ）、編集入力画面５３のイメージ表示部５３ｂに表示されている前の画面イメージを画像編集部２４から取得要求し（ステップＳ２８）、表示されているイメージを１ページ分左にシフトして、取得した表示イメージを編集入力画面５３のイメージ表示部５３ｂの最も左に挿入し、表示イメージを更新して（ステップＳ３５）、ユーザ入力監視処理（ステップＳ２３）に戻る。
【００４３】
ステップＳ２７において、左矢印キー５３ｃでなかった場合（ＮＯ）、ユーザからの入力が右矢印キー５３ｄであるか否かをチェックする（ステップＳ２９）。右矢印キー５３ｃであった場合（ＹＥＳ）、編集入力画面表示制御部３１は、編集入力画面５３のイメージ表示部５３ｂに表示されている後のイメージを画像編集部２４から取得要求し（ステップＳ３０）、表示されているイメージを１ページ分右にシフトして、取得した表示イメージを編集入力画面５３のイメージ表示部５３ｂの最も右に挿入し、表示イメージを更新して（ステップ３５）、ユーザ入力監視処理（ステップＳ２３）に戻る。
【００４４】
ステップＳ２９において、右矢印キー５３ｄでなかった場合（ＮＯ）、ユーザからの入力が編集条件ボタン（即ち、加工条件ボタン）５３ｅ中の加工条件キーであるか否かをチェックする（ステップＳ３１）。加工条件キーであった場合（ＹＥＳ）、編集入力画面表示制御部３１は、選択された加工条件の表示をハイライトし（明るくし）（ステップＳ３２）、表示を更新して（ステップＳ３５）、ユーザ入力監視処理（ステップＳ２３）に戻る。
【００４５】
ステップＳ３１において、加工条件でなかった場合（ＮＯ）、編集入力画面表示制御部３１は、ユーザからの入力が、編集条件ボタン（即ち、加工条件ボタン）５３ｅ中の削除枚数キーであるか否かをチェックする（ステップＳ３３）。削除枚数キーであった場合（ＹＥＳ）、編集入力画面表示制御部３１は、削除枚数ボタン５３ｆの削除カウンタ情報を更新し（ステップＳ３４）、表示を更新して（ステップＳ３４）、ユーザ入力監視処理（ステップＳ２３）に戻る。
【００４６】
（図６中の画像データ編集処理（ステップＳ１５））
図８は、図６中の画像データ編集処理（ステップＳ１５）を示すフローチャートである。
【００４７】
画像編集部２４は、画像データ編集処理（ステップＳ１５）において、先ず、編集入力画面表示制御部３１より通知された編集条件及び編集対象ページ数、削除枚数を入手する（ステップＳ４１）。画像編集部２４は、編集入力画面表示制御部３１より通知された編集条件として削除指定があるか否かをチェックし（ステップＳ４２）、削除指定があった場合（ＹＥＳ）、編集対象ページと削除枚数を元に、画像データ記憶部１８に格納された元画像データから、指定されたページから指定枚数分の画像イメージを削除し（ステップＳ４３）、ステップＳ４４へ進む。ステップＳ４２において、削除指定がなかった場合（ＮＯ）、ステップＳ４４へ進む。
【００４８】
ステップＳ４４において、画像編集部２４は、編集入力画面表示制御部３１より通知された編集条件として追加指定があるか否かをチェックする（ステップＳ４４）。追加指定があった場合（ＹＥＳ）、画像編集部２４は、編集対象ページを元に、再読み取り画像ｉｄ２３に基づき再読み取りした画像データを特定し、元画像ｉｄ２２に基づき元画像データを特定して元画像データを編集し、処理を終了する。即ち、画像データ記憶部１８に格納された元画像データの指定されたページの所に再読み取りした画像データを挿入し（ステップＳ４５）、処理を終了する。ステップＳ４４において、追加指定がなかった場合（ＮＯ）、そのまま処理を終了する。
【００４９】
（実施例１の効果）
本実施例１によれば、ユーザが図３の読み取り原稿枚数入力画面５１で入力した原稿枚数（即ち、ユーザが意図した原稿枚数）より少ない場合に、読み取り結果確認画面５２にてユーザに確認させて、未読み取り原稿（即ち、未スキャン）のもののみを再セットした上でスキャンを行い、この再スキャンした画像を、図５の編集入力画面５３にて編集（例えば、適当な位置に追加等）して出力する構成にしている。そのため、ScanToEmail等、読み取り原稿２が重送した場合、ユーザが、重送した原稿２を特定してこの原稿２のみを再読み取りしてEmail送信できるので、読み取りに要する時間を短縮できる。
【実施例２】
【００５０】
（実施例２の構成）
図９は、本発明の実施例２における画像読み取り装置１Ａを示す構成図であり、実施例１を示す図２中の要素と共通の要素には共通の符号が付されている。
【００５１】
本実施例２の画像読み取り装置１Ａは、図１に示す実施例１の画像処理システムにおいて画像読み取り装置１に代えて設けられる装置である。本実施例２の画像読み取り装置１Ａでは、実施例１とは異なる構成の画像入力部１０Ａと、実施例１と同様のＣＰＵ１６、ＲＯＭ１７、及び画像データ記憶部１８と、実施例１とは異なる構成の画像出力判定部２０Ａと、実施例１と同様のオペレータパネル制御部３０、画像入力画面表示制御部３１、読み取り結果確認画面表示制御部３２、原稿枚数入力表示制御部３３、オペレータパネル３４、及び画像出力部４０とを備えている。
【００５２】
本実施例２の画像入力部１０Ａでは、実施例１の画像入力部１０に対して、重送検出手段（例えば、重送監視部）１５が追加されている。重送監視部１５は、原稿２が重送したか否かを検出（監視）するものである。更に、本実施例２の画像出力判定部２０Ａでは、実施例１の画像出力判定部２０に対して、重送情報２５が追加されている。その他の構成は、実施例１と同様である。
【００５３】
図１０は、図９の画像読み取り装置１Ａにおける編集入力画面の表示例を示す図であり、実施例１を示す図５中の要素と共通の要素には共通の符号が付されている。
【００５４】
本実施例２の編集入力画面５３Ａでは、実施例１の編集入力画面５３におけるイメージ表示部５３ｂに代えて、これとは異なるイメージ表示部５３ｉを有している。イメージ表示部５３ｉでは、重送と検出した原稿ページを強調して表示する表示手段としての機能を有する点が、実施例１のイメージ表示部５３と異なる。その他の構成は、実施例１と同様である。
【００５５】
（図９のScanToEmail処理）
図１１は、図９の画像読み取り装置１Ａにおける読み取り処理（ScanToEmail処理）を示す概略のフローチャートであり、実施例１を示す図６中の要素と共通の要素には共通の符号が付されている。
【００５６】
図１１のフローチャートでは、図６のフローチャートに対して、読み取り枚数をカウントする処理（ステップＳ６）と、読み取りカウンタ１４と原稿カウンタ２１を比較する処理（ステップＳ７）との間に、重送監視部１５の処理（ステップＳ４１，Ｓ４２）が追加され、更に、図６の編集入力画面表示処理（ステップＳ１１）に代えて、これとは異なる編集入力画面表示処理（ステップＳ４３）が設けられている。その他の処理は、実施例１と同様であるので、以下、実施例１とは異なる処理について説明する。
【００５７】
ScanToEmail処理において、読み取り枚数をカウントする処理（ステップＳ６）が行われた後、重送監視部１５では、センサ部１２のＯＮ継続時間を監視して、重送したか否かを監視（即ち、読み取り原稿指定サイズよりも例えば５％以上長くＯＮしたか否かをチェック）する（ステップＳ４１）。重送監視部１５は、そのチェック結果として読み取り原稿指定サイズよりも５％以上長くＯＮしたと判定した場合（ＹＥＳ）、画像出力判定部２０Ａに対して、読み取りカウンタ１４の値を重送情報２５として送信し（ステップＳ４２）、読み取りカウンタ１４の値と原稿カウンタ２１の値を比較する処理（ステップＳ７）へ進む。ステップＳ４１において、読み取り原稿指定サイズよりも５％以上長くＯＮしなかったと判定した場合（ＮＯ）、ステップＳ７へ進む。
【００５８】
実施例１と同様のステップＳ７〜Ｓ１０の処理が行われる。読み取り結果確認画面表示制御部３２は、ステップＳ１０において、図４の詳細確認ボタン５２ｄが押されたことを検出すると、画像出力判定部２０Ａに対して、画像データ表示要求が指示された旨を通知する。画像データ表示要求が指示された旨を受け取った画像出力判定部２０Ａは、オペレータパネル制御部３０に対して、前記元画像ｉｄ２２と共に編集入力画面を表示するように指示する。編集入力画面を表示するように指示されたオペレータパネル制御部３０は、編集入力画面表示制御部３１に対して、図１０の編集入力画面５３Ａを表示するように指示する。編集入力画面５３Ａを表示するように指示された編集入力画面表示制御部３１は、図１０の編集入力画面５３Ａを表示する（ステップＳ４３）。その後は、実施例１と同様の処理が行われる。
【００５９】
（図１１中の編集入力画面表示処理（ステップＳ４３））
図１２は、図１１中の編集入力画面表示処理（ステップＳ４３）を示すフローチャートであり、実施例１を示す図７中の要素と共通の要素には共通の符号が付されている。
【００６０】
図１２のフローチャートでは、図７のフローチャートにおけるステップＳ２１の処理に代えて、ステップＳ５１，Ｓ５２の処理が行われる。その他の処理は、実施例１と同様であるので、以下、実施例１とは異なる処理について説明する。
【００６１】
編集入力画面表示制御都３１は、編集入力画面表示処理を開始し、重送監視部１５より通知された重送情報２５を画像出力判定部２０Ａより取得し（ステップＳ５１）、ステップＳ５２へ進む。ステップＳ５２において、編集入力画面表示制御部３１は、重送情報２５から画像編集部２４に対して重送したと特定された原稿の周辺の画像イメージを取得し、図１０の編集入力画面５３Ａ中のイメージ表示部５３ｉに示すように、重送したと特定された原稿を強調して表示する。即ち、編集入力画面表示制御部３１は、重送と検出したページの前後の画像データを画像編集部２４より読み出し、表示イメージを生成する。その後、実施例１と同様のステップＳ２２〜Ｓ３５の処理が行われる。
【００６２】
（実施例２の効果）
本実施例２によれば、重送監視部１５によって重送した個所を特定し、編集入力画面５３Ａ中のイメージ表示部５３ｉに強調して表示する構成にしたので、実施例１に比べ、ユーザが、重送した原稿の箇所を探す時間を極力減らすことができる。
【実施例３】
【００６３】
（実施例３の構成）
図１３は、本発明の実施例３における画像処理システムの概略を示す構成図であり、実施例１を示す図１中の要素と共通の要素には共通の符号が付されている。
【００６４】
本実施例３の画像処理システムでは、実施例１の画像読み取り装置１とは異なる構成の画像読み取り装置１Ｂと、この画像読み取り装置１Ｂにネットワークケーブル４５を介して接続された画像処理手段（例えば、ドキュメントサーバ）６０と、このドキュメントサーバ６０にネットワークケーブル４６を介して接続された実施例１と同様のEmailサーバ５０とを備えている。
【００６５】
本実施例３の画像読み取り装置１Ｂは、実施例１の画像読み取り装置１における画像データ記憶部１８及び画像編集部２４が設けられていない点等が実施例１と異なる。
【００６６】
ドキュメントサーバ６０は、画像読み取り装置１Ｂで読み取られた画像データを格納する格納部（例えば、画像データ記憶部）６６、及びこの画像データ記憶部６６に格納された画像データを編集する編集手段（例えば、画像編集部）６７ｃ等を有している。
【００６７】
図１４は、図１３中の画像読み取り装置１Ｂを示す構成図であり、実施例１を示す図２中の要素と共通の要素には共通の符号が付されている。
【００６８】
本実施例３の画像読み取り装置１Ｂは、実施例１と同様に原稿２の読み取りを制御する画像入力部１０と、実施例１と同様のＣＰＵ１６及びＲＯＭ１７と、実施例１の画像データ記憶部１８とは異なる随時読み書き可能なメモリ（以下「ＲＡＭ」という。）１８Ｂと、実施例１の画像出力判定部２０とは異なる構成の画像出力判定部２０Ｂと、実施例１と同様にオペレータパネル３４を制御するオペレータパネル制御部３０、編集入力画面表示制御部３１、読み取り結果確認画面表示制御部３２、各種オペレータパネル３４を制御して表示及びユーザからの入力を監視する原稿枚数入力表示制御部３３、及びオペレータパネル３４と、実施例１の画像出力部４０とは異なる構成の画像データの転送手段（例えば、画像送受信部）４０Ｂとを有し、これらが、実施例１と同様の内部バス３によって相互に接続されている。
【００６９】
画像出力判定部２０Ｂは、画像入力部１０にて読み取った画像データをEmailサーバ５０へ出力してもよいか否か、即ち、原稿２の搬送異常の有無を検知して判定する検知手段としての機能等を持ち、実施例１と同様の原稿カウンタ２１と、実施例１とほぼ同様に管理される元画像ｉｄ２２Ｂ及び再読み取り画像ｉｄ２３Ｂと、実施例１に対して追加された画像制御コマンド生成部２６とを有している。
【００７０】
原稿カウンタ２１は、原稿枚数入力表示制御部３３より通知されたユーザがこれから読み込む原稿２の枚数を保持するカウンタである。画像出力判定部２０Ｂは、画像入力部１０から読み込まれた画像データがドキュメントサーバ６０内の画像データ記憶部６５のどこに格納されているかを特定する画像ｉｄを有し、Emailサーバ５０への出力準備用の画像データは、元画像ｉｄ２２Ｂとして管理されると共に、再読み取りして一時的に格納される画像データは、再読み取り画像ｉｄ２３Ｂとして管理される。画像制御コマンド生成部２６は、編集入力画面表示制御部３１からの編集指定により、ドキュメントサーバ６０内の画像編集部６７ｃに対してコマンドを発行するものであり、編集情報をドキュメントサーバ６０へ通知する通知手段としての機能も有している。
【００７１】
画像送受信部４０Ｂは、コマンド及び画像データのやり取りを実施するものであり、ドコマンド及び画像データをキュメントサーバ６０へ出力する送信制御部４１と、ドキュメントサーバ６０から画像データを取得する受信制御部４２等とを有している。
【００７２】
図１５は、図１３中のドキュメントサーバ６０を示す構成図である。
ドキュメントサーバ６０は、内部バス６１を有している。この内部バス６１には、サーバ全体をプログラム制御するＣＰＵ６２と、プラグラム格納用のＲＯＭ６３と、ワーキングデータ格納用のＲＡＭ６４と、画像読み取り装置１Ｂからコマンドもしくは画像データを受信、送信する画像入出力部６５と、画像読み取り装置１Ｂから受信した画像データを格納する画像データ記憶部６６と、画像読み取り装置１Ｂからのコマンドを解析するコマンド解析部６７と、画像データ記憶部６６のデータをEmailサーバ５０へ送信する出力手段（例えば、画像データ送信部）６８とが接続されている。
【００７３】
画像入出力部６５は、画像読み取り装置１Ｂからのコマンド及び画像データを受信する入力制御部６５ａと、画像データを画像読み取り装置１Ｂへ送信する返信部（例えば、出力制御部）６５ｂ等とを有している。
【００７４】
コマンド解析部６７は、画像読み取り装置１Ｂから送信された画像ｉｄと画像データ記憶部６６に格納された画像データの関係を管理する元画像ｉｄ６７ａ，６７ｂと画像データパスとから成る複数の画像データ管理情報と、画像読み取り装置１Ｂからの画像編集指示を受付けて画像データ記憶部６６に格納された画像データを編集する画像編集部６７ｃ等とから構成されている。
【００７５】
（図１３、図１４のScanToEmail処理）
図１６は、図１３及び図１４の画像処理システムにおける読み取り処理（ScanToEmail処理）を示す概略のフローチャートであり、実施例１を示す図６中の要素と共通の要素には共通の符号が付されている。
【００７６】
本実施例３の図１６のフローチャートでは、実施例１の図６のフローチャートに対してステップＳ６１〜Ｓ６６の処理が異なる。
【００７７】
図１３及び図１４の画像読み取り装置１Ｂにおいて、ユーザがオペレータパネル３４によりScanToEmail処理を実行すると、実施例１と同様のステップＳ１〜Ｓ４の処理が行われ、ステップＳ６１へ進む。
【００７８】
ステップＳ６１において、画像出力判定部２０Ｂは、元画像データとして取り扱うために画像ｉｄ情報を生成して元画像ｉｄ２２Ｂとして保持し、画像入力部１０に対して原稿読み取りを指示する。原稿読み取りを指示された画像入力部１０は、ＡＤＦ１１、センサ部１２、及び読み取り部１３を制御して原稿２を読み取る。読み取った画像データは、画像出力判定部２０Ｂにより元画像ｉｄ２２Ｂを付加し、データ送信指示コマンドとして画像送受信部４０Ｂからドキュメントサーバ６０へ送信する。
【００７９】
送信後、実施例１と同様に、ステップＳ６〜Ｓ１０の処理が行われ、ステップＳ６２へ進む。
【００８０】
ステップＳ６２において、実施例１とほぼ同様に、読み取り結果確認画面表示制御部３２は、ステップＳ１０にて図４の詳細確認ボタン５２ｄが押されたことを検出すると、画像出力判定部２０Ｂに対して、画像データ表示要求が指示された旨を通知する。画像データ表示要求が指示された旨を受け取った画像出力判定部２０Ｂは、オペレータパネル制御部３０に対して、元画像ｉｄ２２Ｂと共に編集入力画面を表示するように指示する。編集入力画面を表示するように指示されたオペレータパネル制御部３０は、編集入力画面表示制御部３１に対して、図５の編集入力画面５３を表示するように指示する。編集入力画面５３を表示するように指示された編集入力画面表示制御部３１は、図５の編集入力画面５３を表示し、ステップＳ１２へ進む。
【００８１】
ステップＳ１２において、図５の編集入力画面５３にてユーザの入力を待ち（即ち、開始ボタン５３ｇ又は閉じるボタン５３ｈの押下を待ち）、開始ボタン５３ｇが押下されると、ステップＳ１３へ進む。ステップＳ１３において、実施例１とほぼ同様に、編集要求を通知された画像出力判定部２０Ｂは、編集条件として追加指定があるか否かを判定し、追加要求があった場合はステップＳ６３へ進み、追加要求がなかった場合はステップＳ６４へ進む。
【００８２】
ステップＳ６３において、画像出力判定部２０Ｂは、再読み取りデータとして取り扱うために画像ｉｄ情報を生成して再読み取り画像ｉｄ２３Ｂとして保持し、画像入力部１０に対して原稿読み取りの指示をする。原稿読み取りの指示がされた画像入力部１０は、ＡＤＦ１１、センサ部１２、及び読み取り部１３を制御して原稿２を読み取る。読み取った画像データは、画像出力判定部２０Ｂにより再読み取り画像ｉｄ２３Ｂを付加して、データ送信指示コマンドとして画像送受信部４０Ｂからドキュメントサーバ６０へ送信し、ステップＳ６４へ進む。
【００８３】
ステップＳ６４において、画像出力判定部２０Ｂは、編集入力画面表示制御部３１から入手した編集条件と元画像ｉｄ２２Ｂ及び再読み取り画像ｉｄ２３Ｂを、画像送受信部４０Ｂを介してドキュメントサーバ６０へ、画像データ編集指示コマンドとして送信する。送信後、実施例１と同様に、ステップＳ９，Ｓ１０の処理へ戻る。ステップＳ１０において、図４の読み取り結果確認画面５２にてユーザの入力を待ち（即ち、図４のキャンセルボタン５２ｂ又はＯＫボタン５２ｃの押下を待ち）、ＯＫボタン５２ｃが押下されると、ステップＳ６５進み、キャンセルボタン５２ｂが押下されると、ステップＳ１７へ進む。
【００８４】
ステップＳ６５において、画像出力判定部２０Ｂは、画像送受信部４０Ｂを介して、メールサーバ６０への送信指示コマンドをドキュメントサーバ６０へ送信し、ステップＳ１７へ進む。ステップＳ１７において、実施例１とほぼ同様に、画像出力判定部２０Ｂは、読み取りカウンタ１４をクリアし、ステップＳ６６へ進む。
【００８５】
ステップＳ６６において、画像出力判定部２０Ｂは、画像送受信部４０Ｂを介して、元画像ｉｄ２２Ｂ及び再読み取り画像ｉｄ２３Ｂをドキュメントサーバ６０へ、画像データ削除指示コマンドとして送信し、処理を終了する。
【００８６】
（図１６中の編集入力画面表示処理（ステップＳ６２））
図１７は、図１６中の編集入力画面表示処理（ステップＳ６２）を示すフローチャートであり、実施例１を示す図７中の要素と共通の要素には共通の符号が付されている。
【００８７】
本実施例３の図１７のフローチャートでは、実施例１の図７のフローチャートに対してステップＳ７１〜Ｓ７３の処理が異なる。
【００８８】
編集入力画面表示制御部３１は、編集入力画面表示処理を開始すると、ステップＳ７１において、図５の編集入力画面５３のイメージ表示部５３ｂに表示可能なイメージを表示サイズ、表示解像度、及び画像出力判定部２０Ｂから渡された元画像ｉｄ２２Ｂを指定し、画像制御コマンド生成部２６に対して、画像イメージの取得を要求する。画像イメージの取得を要求された画像制御コマンド生成部２６は、画像送受信部４０Ｂを介して、ドキュメントサーバ６０に対し、画像データ受信指示コマンドを発行し、該当の画像イメージを取得して編集入力画面表示制御部３１へ渡す。即ち、ステップＳ７１において、読み取った画像データをドキュメントサーバ６０より読み出し、図５の編集入力画面５３のイメージ表示部５３ｂに表示できるサイズに編集し、ステップＳ２２へ進む。
【００８９】
ステップＳ２２において、実施例１とほぼ同様に、編集入力画面表示制御部３１は、画像制御コマンド生成部２６が表示イメージを入手すると、イメージ表示部５３ｂに取得したイメージを表示する。その後、実施例１と同様のステップＳ２４〜Ｓ２７の処理が行われ、このステップＳ２７において、図５の編集入力画面５３中の左矢印キー５３ｃが押下された場合には（ＹＥＳ）、ステップＳ７２へ進み、左矢印キー５３ｃが押下されていない場合には（ＮＯ）、ステップＳ２９へ進む。
【００９０】
ステップＳ７２において、ステップＳ７１と同様に、編集入力画面表示制御部３１は、画像制御コマンド生成部２６を経由してドキュメントサーバ６０から、図５の編集入力画面５３中のイメージ表示部５３ｂに表示している前の画像データを取得し、ステップＳ３５へ進む。即ち、イメージ表示部５３ｂに表示している前の画像データをドキュメントサーバ６０より読み出し、イメージ表示部５３ｂに表示できるサイズに編集し、ステップＳ３５へ進む。
【００９１】
ステップＳ３５において、実施例１と同様に、図５の編集入力画面５３中のイメージ表示部５３ｂに対し、編集入力画面の更新を指示し、ステップＳ２４の処理に戻る。ステップＳ２９において、図５の編集入力画面５３中の右矢印キー５３ｄが押下された場合には（ＹＥＳ）、ステップＳ７３へ進み、右矢印キー５３ｄが押下されていない場合には（ＮＯ）、ステップＳ３１へ進む。
【００９２】
ステップＳ７３において、ステップＳ７１と同様に、編集入力画面表示制御部３１は、画像制御コマンド生成部２６を経由してドキュメントサーバ６０から、表示している後の画像データを読み出し、イメージ表示部５３ｂに表示できるサイズに編集し、ステップＳ３５へ進む。
【００９３】
ステップＳ２９の後のステップＳ３１〜Ｓ３５までは、実施例１と同様の処理が行われる。
【００９４】
（ドキュメントサーバのコマンド解析処理）
図１８は、図１３及び図１５のドキュメントサーバ６０におけるコマンド解析処理を示すフローチャートである。
【００９５】
ドキュメントサーバ６０は、コマンド解析処理を開始すると、コマンド解析部６７が、画像読み取り装置１Ｂから画像データ削除指示コマンドの通知があったか否かをチェックし（ステップＳ８１）、画像データ削除指示コマンドの通知があった場合（ＹＥＳ）、通知された画像ｉｄ情報から、画像データ記憶部６６に格納されている画像データを特定して削除し（ステップＳ８２）、ステップＳ８１の処理へ戻る。
【００９６】
ステップＳ８１において、画像データ削除指示コマンドの通知がなかった場合（ＮＯ）、コマンド解析部６７は、画像読み取り装置１Ｂから画像データ送信指示コマンドの通知があったか否かをチェックし（ステップＳ８３）、画像データ送信指示コマンドの通知があった場合（ＹＥＳ）、通知された画像ｉｄ情報とページオフセット情報から、画像データ記憶部６６に格納されている画像イメージを特定して、画像データ記憶部６６から読み出し、画像読み取り装置１Ｂへ送信し（ステップＳ８４）、ステップＳ８１の処理へ戻る。
【００９７】
ステップＳ８３において、画像データ送信指示コマンドの通知がなかった場合（ＮＯ）、コマンド解析部６７は、画像読み取り装置１Ｂから画像データ受信指示コマンドの通知があったか否かをチェックし（ステップＳ８５）、画像データ受信指示コマンドの通知があった場合（ＹＥＳ）、通知された画像ｉｄ情報と、画像データ記憶部６６に格納する画像データパスを管理して、送信された画像データを画像データ記憶部６６へ書き込み（ステップＳ８６）、ステップＳ８１の処理へ戻る。
【００９８】
ステップＳ８５において、画像データ受信指示コマンドの通知がなかった場合（ＮＯ）、コマンド解析部６７は、画像読み取り装置１Ｂから画像データ編集指示コマンドの通知があったか否かをチェックし（ステップＳ８７）、画像データ編集指示コマンドの通知があった場合（ＹＥＳ）、通知された元画像ｉｄ２２Ｂ、再読み取り画像ｉｄ２３Ｂ及び編集条件から、画像データ記憶部６６に格納されている画像データを読み出して画像を編集する（ステップＳ８８）。この画像編集では、実施例１の図８とほぼ同様の処理が行われ、編集後、ステップＳ８１の処理へ戻る。
【００９９】
ステップＳ８７において、画像データ編集指示コマンドの通知がなかった場合（ＮＯ）、コマンド解析部６７は、画像読み取り装置１Ｂからメール送信指示コマンドの通知があった否かをチェックし（ステップＳ８９）、メール送信指示コマンドの通知があった場合（ＹＥＳ）、通知された画像ｉｄ情報から、画像データ記憶部６６に格納されている画像データを読み出し、画像データ送信部６８からEmailサーバ５０へ送信し（ステップＳ９０）、ステップＳ８１の処理へ戻る。
【０１００】
（実施例３の効果）
本実施例３によれば、画像データ記憶部６６をドキュメントサーバ６０で保有しているので、画像読み取り装置１Ｂに大容量な記憶部が必要なくなり、画像読み取り装置１Ｂの回路規模を縮小してコストを抑えることが期待できる。
【実施例４】
【０１０１】
（実施例４の構成）
図１９は、本発明の実施例４における画像処理システムの概略を示す構成図であり、実施例１及び実施例３を示す図１及び図１３中の要素と共通の要素には共通の符号が付されている。
【０１０２】
本実施例４の画像処理システムでは、実施例３と同様の画像読み取り装置１Ｂと、この画像読み取り装置１Ｂにネットワークケーブル４５を介して接続された画像形成装置７０とを備えている。
【０１０３】
画像形成装置７０は、画像読み取り装置１Ｂで読み取られた画像データを格納する格納部（例えば、画像データ記憶部）７６、画像データを編集する編集手段（例えば、画像編集部）７７ｃ、及び画像データを印刷する画像形成部７８ｂ等を有している。
【０１０４】
図２０は、図１９中の画像形成装置７０を示す構成図である。
画像形成装置７０は、内部バス７１を有している。この内部バス７１には、装置全体をプログラム制御するＣＰＵ７２と、プログラム格納用のＲＯＭ７３と、ワーキングデータ格納用のＲＡＭ７４と、画像読み取り装置１Ｂからコマンドもしくは画像データを受信、送信する画像送受信部７５と、この画像送受信部７５により受信した画像データを格納する画像データ記憶部７６と、画像送受信部７５により受信したコマンドを解析するコマンド解析部７７と、画像データ記憶部７６に格納された画像データを印刷媒体（例えば、用紙）に印刷して出力する出力手段（例えば、画像出力部）７８とが接続されている。
【０１０５】
画像送受信部７５は、画像読み取り装置１Ｂからのコマンド及び画像データを受信する受信制御部７５ａと、画像データを画像読み取り装置１Ｂへ送信する返信部（例えば、送信制御部）７５ｂ等とを有している。
【０１０６】
コマンド解析部７７は、画像読み取り装置１Ｂから送信された画像ｉｄと画像データ記憶部７６に格納された画像データの関係を管理する元画像ｉｄ７７ａ，７７ｂと画像データパスとから成る複数の画像データ管理情報と、画像読み取り装置１Ｂからの画像編集指示を受付けて画像データ記憶部７６に格納された画像データを編集する画像編集部７７ｃ等とから構成されている。
【０１０７】
画像出力部７８は、画像データ記憶部７６に格納された画像データを印刷可能なデータに変換する画像形成データ変換部７８ａと、この画像形成データ変換部７８ａで変換されたデータを用紙へ印刷する画像形成部７８ｂ等とを有している。
【０１０８】
（図１９、図２０のScanToEmail処理）
図２１は、図１９及び図２０の画像処理システムにおける読み取り処理（ScanToEmail処理）を示す概略のフローチャートであり、実施例１を示す図６中の要素と共通の要素には共通の符号が付されている。
【０１０９】
本実施例４の図２１のフローチャートでは、実施例１の図６のフローチャートに対してステップＳ９１〜Ｓ９６の処理が異なる。
【０１１０】
図１９及び図２０の画像読み取り装置１Ｂにおいて、ユーザがオペレータパネル３４によりScanToEmail処理を実行すると、実施例１と同様のステップＳ１〜Ｓ４の処理が行われ、ステップＳ９１へ進む。
【０１１１】
ステップＳ９１において、画像出力判定部２０Ｂは、元画像データとして取り扱うために画像ｉｄ情報を生成して元画像ｉｄ２２Ｂとして保持し、画像入力部１０に対して原稿読み取りを指示する。原稿読み取りを指示された画像入力部１０は、ＡＤＦ１１、センサ部１２、及び読み取り部１３を制御して原稿２を読み取る。読み取った画像データは、画像出力判定部２０Ｂにより元画像ｉｄ２２Ｂを付加し、データ送信指示コマンドとして画像送受信部４０Ｂから画像形成装置７０へ送信する。
【０１１２】
送信後、実施例１と同様に、ステップＳ６〜Ｓ１０の処理が行われ、ステップＳ９２へ進む。
【０１１３】
ステップＳ９２において、実施例１とほぼ同様に、読み取り結果確認画面表示制御部３２は、ステップＳ１０にて図４の詳細確認ボタン５２ｄが押されたことを検出すると、画像出力判定部２０Ｂに対して、画像データ表示要求が指示された旨を通知する。画像データ表示要求が指示された旨を受け取った画像出力判定部２０Ｂは、オペレータパネル制御部３０に対して、元画像ｉｄ２２Ｂと共に編集入力画面を表示するように指示する。編集入力画面を表示するように指示されたオペレータパネル制御部３０は、編集入力画面表示制御部３１に対して、図５の編集入力画面５３を表示するように指示する。編集入力画面５３を表示するように指示された編集入力画面表示制御部３１は、図５の編集入力画面５３を表示し、ステップＳ１２へ進む。
【０１１４】
ステップＳ１２において、図５の編集入力画面５３にてユーザの入力を待ち（即ち、開始ボタン５３ｇ又は閉じるボタン５３ｈの押下を待ち）、開始ボタン５３ｇが押下されると、ステップＳ１３へ進む。ステップＳ１３において、実施例１とほぼ同様に、編集要求を通知された画像出力判定部２０Ｂは、編集条件として追加指定があるか否かを判定し、追加要求があった場合はステップＳ９３へ進み、追加要求がなかった場合はステップＳ９４へ進む。
【０１１５】
ステップＳ９３において、画像出力判定部２０Ｂは、再読み取りデータとして取り扱うために画像ｉｄ情報を生成して再読み取り画像ｉｄ２３Ｂとして保持し、画像入力部１０に対して原稿読み取りの指示をする。原稿読み取りの指示がされた画像入力部１０は、ＡＤＦ１１、センサ部１２、及び読み取り部１３を制御して原稿２を読み取る。読み取った画像データは、画像出力判定部２０Ｂにより再読み取り画像ｉｄ２３Ｂを付加して、データ送信指示コマンドとして画像送受信部４０Ｂから画像形成装置７０へ送信し、ステップＳ９４へ進む。
【０１１６】
ステップＳ９４において、画像出力判定部２０Ｂは、編集入力画面表示制御部３１から入手した編集条件と元画像ｉｄ２２Ｂ及び再読み取り画像ｉｄ２３Ｂを、画像送受信部４０Ｂを介して画像形成装置７０へ、画像データ編集指示コマンドとして送信する。送信後、実施例１と同様に、ステップＳ９，Ｓ１０の処理へ戻る。ステップＳ１０において、図４の読み取り結果確認画面５２にてユーザの入力を待ち（即ち、図４のキャンセルボタン５２ｂ又はＯＫボタン５２ｃの押下を待ち）、ＯＫボタン５２ｃが押下されると、ステップＳ９５進み、キャンセルボタン５２ｂが押下されると、ステップＳ１７へ進む。
【０１１７】
ステップＳ９５において、画像出力判定部２０Ｂは、画像送受信部４０Ｂを介して、画像形成指示コマンドを画像形成装置７０へ送信し、ステップＳ１７へ進む。ステップＳ１７において、実施例１とほぼ同様に、画像出力判定部２０Ｂは、読み取りカウンタ１４をクリアし、ステップＳ９６へ進む。
【０１１８】
ステップＳ９６において、画像出力判定部２０Ｂは、画像送受信部４０Ｂを介して、元画像ｉｄ２２Ｂ及び再読み取り画像ｉｄ２３Ｂを画像形成装置７０へ、画像データ削除指示コマンドとして送信し、処理を終了する。
【０１１９】
（図２１中の編集入力画面表示処理（ステップＳ９２））
図２２は、図２１中の編集入力画面表示処理（ステップＳ９２）を示すフローチャートであり、実施例１を示す図７中の要素と共通の要素には共通の符号が付されている。
【０１２０】
本実施例４の図２２のフローチャートでは、実施例１の図７のフローチャートに対してステップＳ１０１〜Ｓ１０３の処理が異なる。
【０１２１】
編集入力画面表示制御部３１は、編集入力画面表示処理を開始すると、ステップＳ１０１において、図５の編集入力画面５３のイメージ表示部５３ｂに表示可能なイメージを表示サイズ、表示解像度、及び画像出力判定部２０Ｂから渡された元画像ｉｄ２２Ｂを指定し、画像制御コマンド生成部２６に対して、画像イメージの取得を要求する。画像イメージの取得を要求された画像制御コマンド生成部２６は、画像送受信部４０Ｂを介して、画像形成装置７０に対し、画像データ受信指示コマンドを発行し、該当の画像イメージを取得して編集入力画面表示制御部３１へ渡す。即ち、ステップＳ１０１において、読み取った画像データを画像形成装置７０より読み出し、図５の編集入力画面５３のイメージ表示部５３ｂに表示できるサイズに編集し、ステップＳ２２へ進む。
【０１２２】
ステップＳ２２において、実施例１とほぼ同様に、編集入力画面表示制御部３１は、画像制御コマンド生成部２６が表示イメージを入手すると、イメージ表示部５３ｂに取得したイメージを表示する。その後、実施例１と同様のステップＳ２４〜Ｓ２７の処理が行われ、このステップＳ２７において、図５の編集入力画面５３中の左矢印キー５３ｃが押下された場合には（ＹＥＳ）、ステップＳ１０２へ進み、左矢印キー５３ｃが押下されていない場合には（ＮＯ）、ステップＳ２９へ進む。
【０１２３】
ステップＳ１０２において、ステップＳ１０１と同様に、編集入力画面表示制御部３１は、画像制御コマンド生成部２６を経由して画像形成装置７０から、図５の編集入力画面５３中のイメージ表示部５３ｂに表示している前の画像データを取得し、ステップＳ３５へ進む。即ち、イメージ表示部５３ｂに表示している前の画像データを画像形成装置７０より読み出し、イメージ表示部５３ｂに表示できるサイズに編集し、ステップＳ３５へ進む。
【０１２４】
ステップＳ３５において、実施例１と同様に、図５の編集入力画面５３中のイメージ表示部５３ｂに対し、編集入力画面の更新を指示し、ステップＳ２４の処理に戻る。ステップＳ２９において、図５の編集入力画面５３中の右矢印キー５３ｄが押下された場合には（ＹＥＳ）、ステップＳ１０３へ進み、右矢印キー５３ｄが押下されていない場合には（ＮＯ）、ステップＳ３１へ進む。
【０１２５】
ステップＳ１０３において、ステップＳ１０１と同様に、編集入力画面表示制御部３１は、画像制御コマンド生成部２６を経由して画像形成装置７０から、表示している後の画像データを読み出し、イメージ表示部５３ｂに表示できるサイズに編集し、ステップＳ３５へ進む。
【０１２６】
ステップＳ２９の後のステップＳ３１〜Ｓ３５までは、実施例１と同様の処理が行われる。
【０１２７】
（画像形成装置のコマンド解析処理）
図２３は、図１９及び図２０の画像形成装置７０におけるコマンド解析処理を示すフローチャートである。
【０１２８】
画像形成装置７０は、コマンド解析処理を開始すると、コマンド解析部７７が、画像読み取り装置１Ｂから画像データ削除指示コマンドの通知があったか否かをチェックし（ステップＳ１１１）、画像データ削除指示コマンドの通知があった場合（ＹＥＳ）、通知された画像ｉｄ情報から、画像データ記憶部７６に格納されている画像データを特定して削除し（ステップＳ１１２）、ステップＳ１１１の処理へ戻る。
【０１２９】
ステップＳ１１１において、画像データ削除指示コマンドの通知がなかった場合（ＮＯ）、コマンド解析部７７は、画像読み取り装置１Ｂから画像データ送信指示コマンドの通知があったか否かをチェックし（ステップＳ１１３）、画像データ送信指示コマンドの通知があった場合（ＹＥＳ）、通知された画像ｉｄ情報とページオフセット情報から、画像データ記憶部７６に格納されている画像イメージを特定して、画像データ記憶部７６から読み出し、画像読み取り装置１Ｂへ送信し（ステップＳ１１４）、ステップＳ１１１の処理へ戻る。
【０１３０】
ステップＳ１１３において、画像データ送信指示コマンドの通知がなかった場合（ＮＯ）、コマンド解析部７７は、画像読み取り装置１Ｂから画像データ受信指示コマンドの通知があったか否かをチェックし（Ｓ１１５）、画像データ受信指示コマンドの通知があった場合（ＹＥＳ）、通知された画像ｉｄ情報と、画像データ記憶部７６に格納する画像データパスを管理して、送信された画像データを画像データ記憶部７６へ書き込み（ステップＳ１１６）、ステップＳ１１１の処理へ戻る。
【０１３１】
ステップＳ１１５において、画像データ受信指示コマンドの通知がなかった場合（ＮＯ）、コマンド解析部７７は、画像読み取り装置１Ｂから画像データ編集指示コマンドの通知があったか否かをチェックし（ステップＳ１１７）、画像データ編集指示コマンドの通知があった場合（ＹＥＳ）、通知された元画像ｉｄ２２Ｂ、再読み取り画像ｉｄ２３Ｂ及び編集条件から、画像データ記憶部７６に格納されている画像データを読み出して画像を編集する（ステップＳ１１８）。この画像編集では、実施例１の図８とほぼ同様の処理が行われ、編集後、ステップＳ１１１の処理へ戻る。
【０１３２】
ステップＳ１１７において、画像データ編集指示コマンドの通知がなかった場合（ＮＯ）、コマンド解析部７７は、画像読み取り装置１Ｂから印刷指示コマンドの通知があったか否かをチェックし（ステップＳ１１９）、印刷指示コマンドの通知があった場合（ＹＥＳ）、通知された画像ｉｄ情報から、画像データ記憶部７６に格納されている画像データを読み出し、画像出力部７８へ渡す。渡された画像データは、画像形成部７８ｂが処理できるデータに画像形成データ変換部７８ａで変換され、画像形成部７８ｂにて用紙に印刷され（ステップＳ１２０）、ステップＳ１１１の処理へ戻る。
【０１３３】
（実施例４の効果）
本実施例４によれば、ソートが有効なコピー等、重送によるユーザの手作業によるページ挿入が不要になる。
【０１３４】
（変形例）
本発明は、上記実施例１〜４に限定されず、種々の利用形態や変形が可能である。この変形例としては、例えば、次の（ａ）、（ｂ）のようなものがある。
【０１３５】
（ａ）  図２４は、原稿のコピー例を示す図である。
実施例では、同一サイズ（例えば、Ａ４）の原稿２をコピーする例を説明したが、図２４に示すように、異なるサイズ（例えば、Ａ４とＡ３）のミックス原稿２Ａをコピーするミックス原稿コピーモード等にも応用が可能である。
【０１３６】
（ｂ）  画像読み取り装置１，１Ａ，１Ｂ、ドキュメントサーバ６０、及び画像形成装置７０は、図示以外の構成に変更したり、あるいは、これらの処理を図示のフローチャート以外の処理手順に変更してもよい。
【符号の説明】
【０１３７】
１，１Ａ，１Ｂ      画像読み取り装置
２      原稿
１０，１０Ａ      画像入力部
１１      ＡＤＦ
１２      センサ部
１８，６６，７６      画像データ記憶部
２０，２０Ａ，２０Ｂ      画像出力判定部２０
２４，６７ｃ，７７ｃ      画像編集部
３０      オペレータパネル制御部
３４      オペレータパネル
４０      画像出力部
４０Ｂ      画像送受信部
５０      Emailサーバ
６０      ドキュメントサーバ
７０      画像形成装置
７８ｂ      画像形成部
【図１】
2011010030.tif 000003
【図２】
2011010030.tif 000004
【図３】
2011010030.tif 000005
【図４】
2011010030.tif 000006
【図５】
2011010030.tif 000007
【図６】
2011010030.tif 000008
【図７】
2011010030.tif 000009
【図８】
2011010030.tif 000010
【図９】
2011010030.tif 000011
【図１０】
2011010030.tif 000012
【図１１】
2011010030.tif 000013
【図１２】
2011010030.tif 000014
【図１３】
2011010030.tif 000015
【図１４】
2011010030.tif 000016
【図１５】
2011010030.tif 000017
【図１６】
2011010030.tif 000018
【図１７】
2011010030.tif 000019
【図１８】
2011010030.tif 000020
【図１９】
2011010030.tif 000021
【図２０】
2011010030.tif 000022
【図２１】
2011010030.tif 000023
【図２２】
2011010030.tif 000024
【図２３】
2011010030.tif 000025
【図２４】
2011010030.tif 000026